(57)【要約】【課題】    既存のＣＤＭＡシステムで利用可能なデータを用いて移動加入者局の現在位置を高精度で特定するシステムを提供する。【解決方法】この発明はＣＤＭＡ通信システムの中で加入者局ユニットの地理的位置を特定する。少なくとも一つの基地局からその基地局に特有のチップ符号系列によるスペクトラム拡散信号を送信する。加入者局ユニットはその基地局からの信号を受信し、その基地局信号の前記チップ符号系列と同期した特有のチップ符号系列によるスペクトラム拡散信号を送信する。基地局はその加入者局ユニットからの信号を受信し、その加入者局ユニット信号のチップ符号系列を基地局送信のチップ符号系列と比較して加入者局ユニットの位置を特定する。【選択図】    図６
2006094538.tif 000002
【特許請求の範囲】
【請求項１】
固定位置の複数の基地局を有するＣＤＭＡ通信システムの中の加入者局ユニットの地理的位置を特定する方法であって、
（ａ）第１の擬似ランダムチップ符号系列による第１のスペクトラム拡散信号を一つの基地局から送信する過程と、
（ｂ）第１のマルチパス成分を含む前記第１のスペクトラム拡散信号を前記加入者局ユニットにおいて受信する過程と、
（ｃ）受信した前記第１のマルチパス成分の第１の受信成分を算定する過程と、
（ｄ）前記受信した第１のスペクトラム拡散信号と同期した第２の擬似ランダムチップ符号系列による第２のスペクトラム拡散信号を前記加入者局ユニットから送信する過程と、
（ｅ）第２のマルチパス成分を含む前記第２のスペクトラム拡散信号を前記基地局において受信する過程と、
（ｆ）前記受信した第２のマルチパス成分の第１の受信成分を算定する過程と、
（ｇ）前記第２のスペクトラム拡散信号の前記第１の受信成分に基づいて前記基地局と前記加入者局ユニットとの間の距離を算定する過程と、
（ｈ）前記距離の算定に基づき前記加入者局ユニットの地理的位置を特定する過程と
を含む方法。
【請求項２】
前記過程（ａ）−（ｇ）が互いに別々の固定位置の三つの基地局の各々についてそれぞれ行われ、前記過程（ｈ）が前記三つの基地局の各々についての前記距離算定に基づき前記加入者局ユニットの地理的位置を特定する請求項１記載の方法。
【請求項３】
互いの別々の固定位置の第１および第２の基地局の両方について前記過程（ａ）−（ｇ）を行う過程と、
前記第１の基地局の前記第１のスペクトラム拡散信号を前記第２の基地局の第１のスペクトラム拡散信号と同期させる過程と、
前記加入者局ユニットで受信した前記第１の基地局および前記第２の基地局の前記第１のスペクトラム信号相互間の時間差を算定する過程と
をさらに含み、
前記過程（ｈ）が前記距離の算定値および前記時間差の算定値により前記加入者局ユニットの地理的位置を算定する
請求項１記載の方法。
【請求項４】
互いに別々の固定位置の第１および第２の基地局の両方について前記過程（ａ）−（ｇ）を行う過程と、
前記第１の基地局のスペクトラム拡散信号と同期し前記第１の基地局からの第２のマルチパス成分を含む前記第２のスペクトラム拡散信号を前記第２の基地局で受信する過程と、
前記受信した第１の基地局からの第２のマルチパス成分の第１の受信成分を前記第２の基地局で算定する過程と、
前記第１の基地局および第２の基地局で受信した前記第１の基地局の第２のスペクトラム拡散信号相互間の時間差を算定する過程と
をさらに含み、
前記過程（ｈ）が前記距離の算定値および前記時間差の算定値により前記加入者局ユニットの地理的位置を算定する
請求項１記載の方法。
【請求項５】
前記基地局が互いに別々の固定位置にそれぞれ関連づけられた第１および第２のアンテナを備え、前記第２のスペクトラム拡散信号を前記第１および第２のアンテナで別々に受信する請求項１記載の方法であって、
前記第１および第２のアンテナでそれぞれ受信した前記第２のスペクトラム拡散信号相互間の位相差を算定する過程と、
前記位相差と前記第１および第２のアンテナの固定位置の間隔とに基づき前記基地局および前記加入者局ユニットに関連する角度を算定する過程と
を含み、
前記過程（ｈ）が前記距離の算定値および前記角度の算定値に基づき前記加入者局ユニットの地理的位置を算定する
請求項１記載の方法。
【請求項６】
前記第１の信号および前記第２の信号がパイロット信号である
請求項１記載の方法。
【発明の詳細な説明】
【技術分野】
【０００１】
この発明は概括的にはスペクトラム拡散符号分割多元接続（ＣＤＭＡ）通信システムに関する。より詳細に言うと、この発明はＣＤＭＡ通信システム内にある加入者局の地理的位置を算定するシステムおよび方法に関する。
【背景技術】
【０００２】
加入者局の位置を特定できる無線システムは既に周知である。無線による一つの手法では衛星測位システム（ＧＰＳ）を用いる。ＧＰＳでは、２４基のNAVSTAR衛星から継続的に送信されるデータをハンドセットで受信する。各衛星はその衛星の識別情報および位置並びに情報送出時刻を表すデータを送信する。ハンドセットは各信号の受信時刻と送信時刻とを比較して各衛星までの距離を算定する。衛星までの距離の算定値と各衛星の位置とに基づいてハンドセットは三角測量により自分の位置を特定し基地局にその情報を供給できる。しかし、加入者局ユニットの中にＧＰＳを組み入れるとコスト上昇を招く。
【０００３】
加入者局位置特定のもう一つの手法は米国特許第5,732,354号に開示されている。時分割多元接続（ＴＤＭＡ）を無線インタフェースとして用いた移動電話ユニットを複数の基地局の稼働範囲内に位置づける。移動電話ユニットはこれら基地局の各々からの受信信号の信号強度を測定し、それら信号強度測定値を基地局にそれぞれ送信する。基地局の送信したそれら信号強度測定値を移動加入者局の電話交換センターで比較して信号処理する。その結果、移動電話ユニットと各基地局との間の距離が算出される。これらの距離の値から移動電話ユニットの位置を算出する。
【０００４】
スペクトラム拡散変調技術を用いた無線通信システムが普及してきた。符号分割多元接続（ＣＤＭＡ）通信システムでは、擬似ランダムチップ符号系列でデータを変調することにより、広い帯域（拡散スペクトラム）を用いてデータを伝送する。それに伴う利点は、ＣＤＭＡシステムが従来型の時分割多元接続（ＴＤＭＡ）手法や周波数分割多元接続（ＦＤＭＡ）手法による通信システムよりも伝送経路における信号歪および干渉を生じにくいことである。
【０００５】
【特許文献１】ＥＰ  ０  ８６５  ２２３
【特許文献２】ＵＳ  ５  ７３６  ９６４
【特許文献３】ＵＳ  ５  ６００  ７０６
【特許文献４】ＷＯ  ９８  １８０１８
【特許文献５】ＷＯ  ９７  ４７１４８
【発明の開示】
【発明が解決しようとする課題】
【０００６】
既存のＣＤＭＡ通信システムで既に利用可能になっているデータを用いた高精度の加入者局位置特定システムが求められている。
【課題を解決するための手段】
【０００７】
この発明はＣＤＭＡ通信システム内の加入者局の地理的位置を算定する。少なくとも一つの基地局からその基地局に特有のチップ符号系列でスペクトラム拡散した信号を送信する。その基地局からの信号を加入者局で受信し、その受信信号のチップ符号系列と同期した特有のチップ符号系列でスペクトラム拡散した信号を送信する。基地局はその加入者局信号を受信してその受信した加入者局信号のチップ符号系列を基地局からのチップ符号系列と比較して加入者局の位置を算定する。
【発明の効果】
【０００８】
既存のＣＤＭＡ通信システムによる高精度の加入者位置特定システムを提供できる。
【発明を実施するための最良の形態】
【０００９】
同じ構成要素には全図を通じて同じ参照数字を付けて示した図面を参照してこの発明の好ましい実施例を説明する。
【００１０】
単純化したＣＤＭＡシステムを図１に示す。所定の帯域幅を有するデータ信号を擬似ランダムチップ符号系列発生器からの拡散符号と混合してディジタルスペクトラム拡散信号を生ずる。受信側で、データの送信に用いたものと同じ擬似ランダムチップ符号系列と相関をとってデータを再生する。伝送帯域幅の中で逆拡散されつつある信号にとって、同帯域幅の中の他の信号はすべて雑音となる。
【００１１】
受信機との同期をとるために送信機の各々に非変調パイロット信号が必要になる。このパイロット信号はそれぞれの受信機が所定の送信機と同期をとることを可能にし、その受信機におけるトラフィック信号の逆拡散を可能にする。
【００１２】
通常のＣＤＭＡシステムでは、基地局はグローバルパイロット信号をその交信範囲内の加入者局に送って順方向送信を同期させる。また、例えばＢ−ＣＤＭＡシステムなどのＣＤＭＡシステムでは、各加入者局が自局特有の割当てパイロット信号を送って逆方向送信を同期させる。
【００１３】
図２はＣＤＭＡ通信システム３０を示す。この通信システム３０は複数の基地局３６１、３６２、・・・、３６ｎを含む。これら基地局３６１、３６２、・・・、３６ｎの各々は固定式または移動式の複数の加入者局ユニット４０１、４０２、・・・、４０ｎと交信する。加入者局ユニット４０１、４０２、…、４０ｎの各々は最寄りの基地局３６１または通信信号強度最大の基地局３６１と交信する。基地局３６１、３６２、・・・、３６ｎの各々は、図３に示すとおり、通信システム３０内の他の構成部分と交信する。
【００１４】
通信システム３０の中心には市内交換機３２があり、複数の網インタフェースユニット（ＮＩＵ）３４１、３４２、・・・、３４ｎと信号授受する。これらＮＩＵの各々は複数の無線搬送波局（ＲＣＳ）３８１、３８２、・・・、３８ｎまたは基地局３６１、３６２、・・・、３６ｎと信号授受する、ＲＣＳ３８１、３８２、・・・、３８ｎまたは基地局３６１、３６２、…、３６ｎの各々は各々の交信範囲内の複数の加入者局ユニット４０１、４０２、…、４０ｎと交信する。
【００１５】
図４は既存のスペクトラム拡散ＣＤＭＡ通信システムの本発明関連部分のブロック図である。個々の基地局３６１、３６２、…、３６ｎの各々は、グローバルパイロットチップ符号発生手段４２１およびスペクトラム拡散処理手段４４１を用いて、その基地局に特有のグローバルパイロット信号を発生する。グローバルパイロットチップ符号発生手段４２１は特有の擬似ランダムチップ符号系列を発生する。この特有の擬似ランダムチップ符号系列は、Ｂ−ＣＤＭＡ無線インタフェースの場合のように帯域幅１５MHｚまで信号スペクトラムを拡散するのに用いられる。上記スペクトラム拡散処理手段はグローバルパイロットチップ符号系列で所望の中心周波数を変調する。このグローバルパイロット信号による被変調信号は基地局の送信機４６１によりすべての加入者局４０１に送信される。
【００１６】
加入者局ユニット４０１の中の受信機４８１は複数の基地局３６１、３６２、…、３６ｎから利用可能な信号を受信する。図５に示すとおり、グローバルパイロット信号５０１は基地局３６１から加入者局ユニット４０１に伝搬し、その伝搬に要する時間τ１は、
τ１＝ｄ１／ｃ                                  （式１）
で与えられる。ここでｄ１は基地局３６１と加入者局ユニット４０１との間の距離、ｃは光速である。
【００１７】
図４を参照すると、加入者局ユニット４０１の中のグローバルパイロットチップ符号再生手段５４１は、複数の基地局３６１、３６２、…、３６ｎからグローバルパイロットチップ符号系列を受信できる。加入者局ユニット４０１はグローバルパイロットチップ符号系列のレプリカを発生し、その発生したレプリカを受信グローバルパイロット５０１と同期させる。加入者局ユニット４０１はそのユニットの多数の分析機能の達成のためにプロセッサ８２１も併せ備える。
【００１８】
加入者局４０１は割当てパイロットチップ符号発生手段５６１およびスペクトラム拡散処理手段５８１を用いて割当てパイロット信号５２１を発生する。割当てパイロットチップ符号発生器５６１は再生グローバルパイロット符号系列と同期した擬似ランダムチップ符号系列を発生する。その結果、割当てパイロットチップ符号系列は基地局３６１、３６２、…、３６ｎについてτ１だけ遅延を受ける。スペクトラム拡散プロセス手段５８１は所望の中心周波数を割当てパイロットチップ符号系列で変調して、割当てパイロット信号５２１による被変調信号を発生する。この割当てパイロット信号５２１により被変調信号を交信範囲内のすべての基地局３６１、３６２、…、３６ｎに送信する。
【００１９】
基地局３６１は自局の受信機６２１で上記割当てパイロット信号５２１による被変調搬送波を受信する。受信したこのパイロット信号５２１による被変調搬送波は図５に示すとおりグローバルパイロット信号５０１による被変調搬送波と同じ距離ｄ１を伝搬する。したがって、受信した割当てパイロット信号は、移動加入者局ユニット４０１についてはτ１だけ遅延を受け、基地局３６１発生のグローバルパイロット信号５０１については２τ１だけ遅延を受ける。
【００２０】
基地局３６１で受信した割当てパイロット信号５２１のチップ符号系列は、基地局３６１発生のグローバルパイロット信号５０１のチップ符号系列に対して２τ１だけ遅延を受けているので、往復伝搬遅延２τ１は上記二つのチップ符号系列のタイミングの比較によって算定できる。上記往復伝搬遅延２τ１を用いて基地局３６１と加入者局ユニット４０１との間の距離４０１は、
ｄ１＝ｃ・２τ１／２                            （式２）
で与えられる。チップ区間少なくとも８０ｎｓの拡散系列を用い、通信システムの追跡分解能がチップ区間の１／１６である場合は、距離ｄ１は２メートル以下の精度で測定できる。
【００２１】
図６はこの発明の第１の実施例のブロック図である。加入者ユニット４０１には追加のハードウェアは不要である。必要な変更は加入者局ユニットのプロセッサ８２１並びに基地局３６１、ＮＩＵ３４または市内交換機３２１、警察分署７４１、７４２、…、７４ｎおよび救急車急派所７６の中のソフトウェアの変更によって導入する。
【００２２】
加入者局ユニット４０１は、緊急呼出９１１発呼があったことを表示し加入者局位置特定プロトコルの起動を指示する信号を基地局３６１から受ける。加入者局４０１は、この信号を受けると、自局の送信チップ符号系列を少なくとも三つの基地局のチップ符号系列と逐次同期させる。加入者局ユニットの通常の交信範囲の外側にある基地局３６２、３６３、…、３６ｎに受信できるように、これらの送信は適応型送信電力制御アルゴリズムを一時的に中断させて通常よりも高い送信電力レベルで行う。
【００２３】
基地局３６１、３６２、…、３６ｎの各々の中のプロセッサ６６１は割当てパイロットチップ符号再生手段６４１およびグローバルパイロットチップ符号発生器４２１に接続する。プロセッサ６６１はこれら二つのチップ符号系列を比較して加入者局ユニット４０１と基地局３６１、３６２、…、３６ｎそれぞれとの間の往復伝搬遅延τ１、τ２、…、τｎおよび距離ｄ１、ｄ２、…、ｄｎを算定する。
【００２４】
ＮＩＵ３４１または市内交換機３２の内部でプロセッサ６８は基地局３６１、３６２、…、３６ｎすべての内部のプロセッサ６６１、６６２、…、６６ｎからの距離ｄ１、ｄ２、…、ｄｎを受ける。プロセッサ６８は距離ｄ１、ｄ２、…、ｄｎを用いて加入者局４０１の位置を次のとおり算定する。
【００２５】
三つの基地局３６１、３６２、３６３の既知の緯度および経度並びに距離ｄ１、ｄ２、ｄ３を用いて、それぞれ半径８０１、８０２、８０３の三つの円７８１、７８２、７８３を描く。これら円７８１、７８２、７８３は基地局３６１、３６２、３６３をそれぞれ中心とする。これら三つの円７８１、７８２、７８３の交線は加入者局ユニット４０１の位置にある。
【００２６】
デカルト座標を用いると、基地局３６１、３６２、…、３６ｎの各々と対応する経度および緯度はそれぞれＸｎおよびＹｎで表される。加入者局ユニット４０１の位置をＸ、Ｙで表すと、距離の式により次式が成立する。
【００２７】
（Ｘ１−Ｘ）２＋（Ｙ１−Ｙ）２＝ｄ１２                  （式３）
（Ｘ２−Ｘ）２＋（Ｙ２−Ｙ）２＝ｄ２２                  （式４）
（Ｘ３−Ｘ）２＋（Ｙ３−Ｙ）２＝ｄ３２                  （式５）
距離ｄ１、ｄ２、ｄ３の計算に伴う微小な誤差のために、実際にはこれら式３、式４および式５は慣用の算術では解けない。それら誤差を補正するために、位置の算定に最尤推定法を周知のとおり用いる。精度を上げるために、追加の基地局３６４、３６５、…、３６ｎを推定分析用の追加の距離の計算に用いることができる。
【００２８】
加入者局ユニットの位置を通信システム３０経由で少なくとも一つの警察分署７４１、７４２、…、７４ｎおよび救急車急派所７６に送る。これら警察分署７４１、７４２、…、７４ｎおよび救急車急派所７６の各々の中のプロセッサ７０１は緊急呼９１１発呼加入者局ユニットの位置を表すデータを受け、慣用のコンピュータモニタ７２１にそのデータを表示する。この表示は緊急呼９１１すべてと所番地とを地図上にリストしたものを含む。
【００２９】
代替の手法では、通信システム３０経由で未加工データを送りそれら未加工データを単一の地点で処理することによってプロセッサの数を減らす。
【００３０】
図８はこの発明の第２の実施例を示す。少なくとも二つの基地局３６１、３６２、…、３６ｎを互いに同期させて配置し、それら基地局からグローバルパイロット信号５２１、５２２、…、５２ｎを互いに同期したチップ符号系列で送る。しかし、受信したグローバルパイロット信号５２１、５２２、…、５２ｎは同期してない。第１の基地局３６１からのグローバルパイロット信号５２１は伝搬距離ｄ１でありτ１だけ遅延を受ける。第２の基地局３６２からのグローバルパイロット５２２の伝搬距離はｄ２でありτ２だけ遅延を受ける。加入者局ユニット４０１は基地局の各々からのグローバルパイロットチップ符号系列をグローバルパイロットチップ符号再生手段５４１により再生する。加入者局４０１の中のプロセッサ８２１はグローバルパイロットチップ符号再生手段５４１、５４２、…、５４ｎの各々に接続する。プロセッサ８２１はパイロットチップ符号系列の各対のチップ符号系列を比較し、これら系列相互間の時間差Δｔ１、Δｔ２、…、Δｔｎを次のとおり計算する。
【００３１】
加入者局ユニット４０１の中で、基地局３６１、３６２、…、３６ｎの各々の用いたチップ符号系列を蓄積する。基地局３６１パイロット符号と同期させたあと、プロセッサ８２１は系列同期達成の時点で蓄積する。このプロセスを他の基地局３６２、３６３、…、３６ｎについても反復する。同期プロセスは逐次的に進めることができ（第１の基地局のチップ符号系列への同期、次に第２の基地局の…、以下同様）、同時並行的に進めることもできる（全基地局についての同期を同時に達成）。
【００３２】
τ１、τ２、…、τｎの間の相対的時間差および各基地局のチップ符号系列を用い、各基地局パイロット信号の発信の同期を既知とすると、基地局二つについての時間差は次式で算出される。
【００３３】
Δｔ１＝τ２−τ１                （式６）
Δｔ２＝τ３−τ２                （式７）
これら時間差Δｔ１、Δｔ２、…、Δｔｎを少なくとも一つ基地局３６１に送信する。
【００３４】
少なくとも一つの基地局３６１は時間差再生手段８４１を用いて受信信号から時間差データを再生する。この時間差データを距離データｄ１とともに通信システム経由でプロセッサ６８に送る。プロセッサ６８は時間差データΔｔ１、Δｔ２、…、Δｔｎおよび距離データｄ１、ｄ２、…、ｄｎを用いて加入者局ユニット４０１の位置を次に述べるとおり算定する。
【００３５】
図９に示すとおり、二つの基地局３６１および３６２からの情報に基づき、プロセッサは距離ｄ１、ｄ２を用いて二つの円７８１、７８２を描く。また、時間差ｔ１を用いると双曲線８６１を描くことができる。
【００３６】
双曲線８６１沿いの点はすべて、互いに同期した基地局３６１、３６２から同一の時間差ｔ１でグローバルパイロット信号５２１、５２２を受ける。この時間差Δｔ１は、式１のｔ１にΔｔ１を、ｄ１にΔｄ１をそれぞれ代入することによって距離差Δｄ１に変換できる。この距離の式を用いると、加入者局ユニット４０１の位置Ｘ，Ｙは次式で表される。
2006094538.tif 000003
式３および式４を式８とともに最尤値推定法に用いると、加入者局ユニット４０１の位置を算定できる。この加入者局ユニット位置情報を最寄りの警察分署７４１、７４２、…、７４ｎおよび救急車急派所７６に送る。
【００３７】
精度を上げるには、追加の基地局を用いる。図１０は三つの基地局３６１、３６２、３６３を用いた場合を示す。三つの距離ｄ１、ｄ２、ｄ３を用いて三つの円を描く。二つの時間差ｔ１、ｔ２を用いて二つの互いに交叉する双曲線８６１、８６２を描く。二つの双曲線８６１、８６２および三つの円７８１、７８２、７８３を用いた最尤値推定法によってより高い精度が得られる。
【００３８】
図８に示すとおり、加入者局ユニット４０１は時間差Δｔ１、Δｔ２、…、Δｔｎの算定のために各グローバルパイロットチップ符号系列を信号処理する必要がある。代替の手法では加入者局ユニット４０１からこの処理を除去する。
【００３９】
図６を参照すると、加入者局ユニット４０１は遅延τ１の最寄りの基地局３６１など一つの基地局のグローバルパイロットチップ符号系列に割当てパイロット信号を同期させる。この割当てパイロット信号５０１をすべての基地局３６１、３６２、…、３６ｎに送信する。この割当てパイロット信号５０１はそれぞれの基地局に遅延τ１＋τ１、τ１＋τ２、τ１＋τ３で受信される。基地局３６１、３６２、…、３６ｎの各々は遅延チップ符号系列と算出ずみ距離とをＮＩＵ３４１または市内交換機３２の中のプロセッサ６８に送る。プロセッサ６８は受信した割当てパイロットチップ符号系列の相互比較により時間差Δｔ１、Δｔ２、…、Δｔｎを算出する。受信した割当てパイロットチップ符号系列はすべてτ１だけ遅延を受けているので、このτ１の遅延は時間差Δｔ１、Δｔ２、…、Δｔｎの算出結果では打ち消されている。したがって、上述のとおり双曲線８６１、８６２を用いて加入者局ユニット４０１の位置を特定できる。
【００４０】
図１１、１２、１３に示したもう一つの実施例は複数のアンテナ８８１、８８２、…、８８ｎ付きの基地局３６１を用いる。それらアンテナのうち二つ８８１、８８２を図１１に示すとおり既知の間隔ｌだけ隔てて中心線９２沿いに配置する。これらアンテナ８８１、８８２は加入者局ユニット４０１から割当てパイロット信号９０１、９０２を受信する。しかし、加入者局ユニット４０１から遠い方のアンテナ８８２は、僅かに長い距離ｄ１’経由で近い方のアンテナ８８１に対し僅かな遅延を伴って信号を受信する。この遅延は図１３に示した各アンテナ受信信号間の搬送波位相差φの原因となる。この搬送波位相差および各割当てパイロットチップ符号再生手段９６１、９６２、…、９６ｎによる再生チップ符号系列を用いてプロセッサ６６は次のとおり加入者局ユニット４０１の位置を算定できる。
【００４１】
図１２に示すとおり、加入者局ユニット４０１はアンテナ８８１、８８２の中心線から距離ｄ１、角度αの点に位置している。図１２に示した尺度から理解されるとおり、受信した二つの割当てパイロット信号９０１、９０２は見かけ上一致する。しかし、図１１に示すとおり、これら受信した割当てパイロット信号９０１、９０２は僅かに隔たっている。第１のアンテナ８８１に戻る割当てパイロット信号９０１は距離ｄ１を伝搬する。第２のアンテナ８８２に戻る割当てパイロット信号９０２は僅かに長い距離ｄ１’を伝搬する。図１１に示すとおり、これら二つの距離ｄ１、ｄ１’の差は距離ｍである。
【００４２】
アンテナ８８１、８８２と加入者局ユニット４０１との間の距離ｄ１、ｄ１’は両アンテナ８８１、８８２の間の距離ｌよりもずっと大きいので、受信した割当てパイロット信号９０１、９０２はほぼ平行な経路をたどる。図１１に示すとおり、加入者局ユニット４０１から距離ｄ１の点９４で直角三角形を形成すると、角度αは次式で算定できる。
【００４３】
α＝cos−１（ｍ／ｌ）                          （式９）
距離ｍは受信した二つの信号９０１、９０２の間の搬送波位相差φにより次式で与えられる。
【００４４】
ｍ＝φ・λ／２π                              （式１０）
すなわち、距離ｍは上記二つの信号の搬送波位相差φ（ラジアン）とその信号の波長λとの積を２πで除算した値である。波長λは割当てパイロット信号の既知の周波数ｆから次式で与えられる。
【００４５】
λ＝ｃ／ｆ                                    （式１１）
プロセッサ６８はグローバルパイロット信号発生手段４２１からのチップ符号系列を図６に示すとおり割当てパイロットチップ符号系列と比較して距離ｄ１を算定する。プロセッサ６６１は角度αおよび距離ｄ１の両方を用いて単純な幾何学から加入者局ユニット４０１の位置を特定する。アンテナ８８１、８８２に伴う位置特定の曖昧さの消去には多様な手法が当業者に周知である。それら周知の手法の一つはセクタ化に基づくアンテナを用いる。加入者局ユニット位置情報を警察分署７４１、７４２、…、７４ｎおよび救急車急派所７６に送る。システムの精度を高めるために追加のアンテナを用いることもできる。
【００４６】
代替の実施例では二つ以上の基地局３６１、３６２、…、３６ｎを用いる。ＮＩＵ３４１または市内交換機３２の内部に配置したプロセッサ６８は二つ以上の基地局３６１、３６２、…、３６ｎから距離情報、角度情報およびそれら基地局相互間の時間差Δｔ１、Δｔ２、…、Δｔｎを収集する。プロセッサ６８は最尤値推定法を用いて加入者ユニット４０１の位置をより高精度で特定する。
【００４７】
第４の実施例はマルチパルスについて補正を行う。図１４はマルチパスを図解する。グローバルパイロット信号などの信号を基地局３６１から送信する。その信号は基地局３６１と加入者局ユニット４０１との間で多数の経路９８１、９８２、…、９８ｎを辿る。
【００４８】
図１３は受信信号のマルチパス成分のインパルス応答特性を示す。これらマルチパス成分の各々は独特の経路を辿るので経路９８１、９８２、…、９８ｎの長さで定まる伝搬遅延を受けて受信機に到達する。インパルス応答特性１０６は多様な伝搬遅延を受けて受信されたマルチパス成分全部の信号強度の総和を表す。
【００４９】
上述の加入者局ユニット位置特定手法は、伝搬距離ｄ１の見通し線マルチパス成分９８１と加入者局ユニット４０１が同期しているものとした。しかし、加入者局ユニットが見通し線成分以外のマルチパス成分９８１、９８２、…、９８ｎと同期する場合は、図１５に示す遅延ＭＤ１によって距離計算に誤差を生ずる。
【００５０】
図１６はマルチパスに起因する誤差の補正のためのシステムを示す。グローバルパイロット信号５０１を基地局３６１から加入者局ユニット４０１に送る。加入者局ユニット４０１は、ここに引用してこの明細書にその内容を組み入れるLompほか名義の米国特許出願第08/669,769号記載の受信機のようなマルチパス受信機１０２１により、マルチパス伝搬成分すべてを収集する。加入者局ユニット４０１の中のプロセッサ８２１で受信グローバルパイロット信号５０１のインパルス応答特性１００を分析する。
【００５１】
見通し線経路伝搬成分９８１は最短距離の伝搬経路を辿るので、その成分が第１の受信成分９８１となる。見通し線経路伝搬成分が受信されない場合は、第１の受信成分９８１は見通し線経路伝搬成分に最も近い、すなわち推算値の中の最良の値となる。プロセッサ８２１はこの第１の受信成分９８１のチップ符号系列を割当てパイロットチップ符号系列の同期に用いたチップ符号系列と比較する。この比較によってマルチパスに伴う遅延ＭＤ１を算定する。マルチパス遅延ＭＤ１を基地局３６１に送る。
【００５２】
基地局３６１の中のプロセッサ６６１およびマルチパス受信機１０４１は受信した割当てパイロット信号について同じ分析を行う。その結果、割当てパイロット信号のマルチパス遅延ＭＤ２が算定される。また、マルチパス遅延再生手段１０６１でプロセッサ６６１用のグロ−バルパイロット信号マルチパス遅延ＭＤ１を再生する。プロセッサ６６１はこの発生したグローバルパイロットチップ符号系列と再生した割当てパイロットチップ符号系列とを比較して往復伝搬遅延２τ１を算定する。マルチパスについて補正するために、プロセッサ６６１はグローバルパイロット信号のマルチパス遅延ＭＤ１と割当てパイロット信号マルチパス遅延ＭＤ２とを往復伝搬遅延算出値２τ１から減算する。この補正ずみの往復伝搬遅延を上述のとおり加入者局ユニット位置特定手法の一つで用いる。
【００５３】
特定の実施例を詳細に参照してこの発明を上に述べてきたが、これら詳細な点は例示のために示したものであって限定的なものではない。ここに記載した発明の範囲を逸脱することなくこの発明の構成および動作の態様に多数の変形が可能であることは当業者に認識されよう。
【産業上の利用可能性】
【００５４】
既存のＣＤＭＡ通信システムの機能強化、費用効率改善および新規需要掘起しに利用できる。
【図面の簡単な説明】
【００５５】
【図１】単純化した従来技術によるＣＤＭＡ通信システムの説明図。
【図２】従来技術によるＣＤＭＡ通信システムの説明図。
【図３】従来技術によるＣＤＭＡ通信システムの中の主な構成部分のブロック図。
【図４】従来技術によるＣＤＭＡ通信システムの中の構成部分のブロック図。
【図５】基地局と加入者局ユニットとの間で授受されているグローバルパイロット信号および割当てパイロット信号の説明図。
【図６】少なくとも三つの基地局を用いたこの発明の第１の実施例のブロック図。
【図７】少なくとも三つの基地局によるこの発明の第１の実施例を用いた加入者局ユニットの位置特定の説明図。
【図８】加入者局ユニット内構成部分を示すこの発明の第２の実施例のブロック図。
【図９】二つの基地局によるこの発明の第２の実施例を用いた加入者局ユニットの位置特定の説明図。
【図１０】三つ以上の基地局によるこの発明の第２の実施例を用いた加入者局ユニットの位置特定の説明図。
【図１１】複数アンテナ付きの基地局によるこの発明の第３の実施例の詳細な説明図。
【図１２】複数アンテナ付きの基地局による第３の実施例の説明図。
【図１３】第３の実施例に用いた構成部分のブロック図。
【図１４】マルチパスの説明図。
【図１５】マルチパス成分の通常のインパルス応答特性図。
【図１６】マルチパス補正用の第４の実施例の構成部分のブロック図。
【符号の説明】
【００５６】
３０                  ＣＤＭＡ通信システム
３６                  基地局
４０                  加入者局ユニット
３２                  市内交換機
３４                  網インタフェースユニット（ＮＩＵ）
３８                  無線搬送波局（ＲＣＳ）
４２                  グローバルパイロットチップ符号発生手段
４４，５８            スペクトラム拡散処理手段
４６                  基地局送信機
４８                  加入者局ユニット受信機
５０                  グローバルパイロット信号
５４                  グローバルパイロットチップ符号再生手段
５２                  割当てパイロット信号
５６                  割当てパイロットチップ符号発生手段
６２                  基地局受信機
８２                  加入者局ユニットプロセッサ
６６，６８，７０      基地局プロセッサ
７４                  警察分署
７６                  救急車急派所
６４，９６            割当てパイロットチップ符号再生手段
８８                  アンテナ
９８                  伝搬経路
【図１】
2006094538.tif 000004
【図２】
2006094538.tif 000005
【図３】
2006094538.tif 000006
【図４】
2006094538.tif 000007
【図５】
2006094538.tif 000008
【図６】
2006094538.tif 000009
【図７】
2006094538.tif 000010
【図８】
2006094538.tif 000011
【図９】
2006094538.tif 000012
【図１０】
2006094538.tif 000013
【図１１】
2006094538.tif 000014
【図１２】
2006094538.tif 000015
【図１３】
2006094538.tif 000016
【図１４】
2006094538.tif 000017
【図１５】
2006094538.tif 000018
【図１６】
2006094538.tif 000019